(57)【特許請求の範囲】
【請求項１】
静電気除去対象が接触可能な被接触部を有し、当該被接触部に接触した静電気除去対象に帯電している静電気を除去する静電気除去手段を備えた燃料供給装置であって、
静電気発生のし易さに関係する環境情報を取得する静電気情報取得手段と、
該静電気情報取得手段によって取得された環境情報の程度に応じた静電気除去作業指示を出力する除去作業情報出力手段と、
を備えていることを特徴とする燃料供給装置。
【請求項２】
請求項１に記載の燃料供給装置において、
前記除去作業情報出力手段は、
静電気情報取得手段が湿度情報取得手段であり、
静電気発生のし易さに関係する環境情報が湿度情報である
ことを特徴とする燃料供給装置。
【請求項３】
請求項１又は２に記載の燃料供給装置において、
前記除去作業情報出力手段は、
環境情報の程度に応じた静電気除去作業のメッセージが記憶されたメッセージ記憶手段と、
該静電気情報取得手段によって取得された環境情報の程度に対応するメッセージを選択するメッセージ選択手段と、
メッセージ選択手段で選択されたメッセージを報知出力する報知手段と、
を備えて構成される燃料供給装置。
【請求項４】
請求項１に記載の燃料供給装置において、
前記除去作業情報出力手段は、
環境情報の程度に応じた静電気除去作業の静電気除去作業時間が記憶された作業時間記憶手段と、
該静電気情報取得手段によって取得された環境情報の程度に対応する作業時間を設定出力する作業時間設定手段と、
を備えて構成され、さらに、
前記静電気除去手段を用いた静電気除去対象による静電気除去作業時間を計測する作業時間計測手段と、
作業時間設定手段による設定作業時間と作業時間計測手段による計測作業時間との比較に基づいて燃料供給を制御する燃料供給制御手段と、
が設けられていることを特徴とする燃料供給装置。
【発明の詳細な説明】
【技術分野】
【０００１】
本発明は、ガソリンや軽油等の燃料を車両の燃料タンク等の被燃料供給体に供給する燃料供給装置に関する。
【背景技術】
【０００２】
従来、この種の燃料供給装置を使用した燃料供給システムの一例として、顧客自らが燃料供給装置としての給油装置を操作して車両の燃料タンクに対しての給油作業を行うセルフサービス給油システムがある。このセルフサービス給油システムでは、顧客自らが車両の燃料タンクの給油口に装着されている給油キャップを取り外し、給油装置に備えられた給油ノズルの筒先を給油口に挿入し、そのノズル弁を開弁操作することによって、燃料タンクに油液の補給（給油）を行う。
【０００３】
ところで、燃料供給作業者（給油作業者）である顧客の身体には、例えば、湿度が低く乾燥しているといった天候や乗車時における衣服の摩擦等が原因となって、静電気が帯電していることがある。
【０００４】
そこで、セルフサービス給油システムでは、例えば、給油装置本体に静電気除去用の導電シートを配置しておき、給油作業の開始にあたって、まずこの静電気除去用の導電シートに手を触れ、帯電している静電気を除去するようにして、燃料タンクの給油口の開蓋や給油ノズルを操作しての実際の燃料供給作業（給油作業）を行う際に、給油口から大気中に放出されるベーパ（油蒸気）に対しての安全対策を施している。そのため、セルフサービス給油システムでは、静電気除去対象としての給油作業者がこれら作業を開始する前に、静電気除去用の導電シートに事前に触って静電気除去作業を予め行うように案内報知している。
【０００５】
【特許文献１】特開２００４−１９６３７３号公報
【発明の開示】
【発明が解決しようとする課題】
【０００６】
しかしながら、上述したようなセルフサービス給油システムでは、例えば、給油作業者が何回もセルフサービス給油を利用したことがある者である場合は、給油作業を行う度に、同じ内容の静電気除去作業の案内報知を繰り返し受けることになる。
【０００７】
また、給油作業者に発生する静電気も一様ではなく、冬，夏といった季節や晴天，雨天といった天候等といった環境条件によっても、その帯電量や放電時の絶縁耐力も異なってくる。
【０００８】
そのため、例えば、何回もセルフサービス給油を利用したことがある給油作業者にとっては、静電気除去作業の案内報知自体に対する注意意識が低下し、その作業内容も習慣化して、導電シートに対する手の触れ方も十分ではなくなってくるという問題がある。
【０００９】
このような問題は、静電気が発生しにくい環境であれば大した問題にならないが、静電気が発生し易い環境になった場合には、静電気除去作業による静電気除去が不十分となり、給油作業中に給油口から大気中に放出されるベーパ（油蒸気）に対する安全対策も十分に機能させることができなくなってくる。
【００１０】
本発明は、このような問題点に鑑みなされたものであって、燃料供給作業における静電気除去作業について、さらなる安全対策の向上をはかった燃料供給装置を提供することを目的とする。
【課題を解決するための手段】
【００１１】
上述した課題を解決するために、本発明の燃料供給装置は、静電気発生のし易さに関係する環境情報を取得して、この環境情報の程度に応じた静電気除去作業指示を出力するようにしたことを特徴とする。
【００１２】
具体的には、静電気が発生しにくい又は発生し易いといった静電気発生のし易さに関係する環境情報としては、湿度がある。また、湿度のような物理量ではないが、季節や天候といった情報や、天気予報等も該当する。
【００１３】
そして、本発明の燃料供給装置は、この取得した環境情報の程度に応じた静電気除去作業のメッセージを音声発声し、又は視覚表示して報知出力することを特徴とする。
【００１４】
また、本発明の燃料供給装置は、この取得した環境情報の程度に応じた静電気除去作業の作業時間を設定し、実際の静電気除去作業がこの作業時間どおりに行われたことを条件に燃料供給を許可することを特徴とする。  
【発明の効果】
【００１５】
本発明の燃料供給装置によれば、燃料供給作業時の静電気発生のし易さに関係する環境情報の程度に応じて、静電気除去作業指示を変更して出力することができるので、燃料供給作業の繰り返しの慣れによって、燃料供給作業者の静電気除去作業に対する注意意識が低下してしまうのを防ぐことができる。
【００１６】
本発明の燃料供給装置によれば、燃料供給作業を行うに当たり、燃料供給作業時の静電気発生のし易さに関係する環境情報の程度に応じて、静電気の発生の危険を燃料供給作業者に知らせるメッセージ内容を変えて報知出力し、又は静電気除去のための静電気除去作業時間を設定出力するようにしたので、静電気除去作業についてのさらなる安全対策の向上をはかることができる。
【発明を実施するための最良の形態】
【００１７】
本発明に係る燃料供給装置の実施の形態について、図面に基づき説明する。
【００１８】
図１は、本発明の燃料供給装置の一実施の形態としての給油装置の構成図である。
【００１９】
本実施の形態の給油装置１は、本体２内にポンプ３及び流量計５を収容した構成になっている。ポンプ３は、付設のポンプ駆動用モータ４によって駆動され、その吸い込み側が連通された貯油タンクから油液を汲み上げ、流量計５の流入側に送出する。流量計５は、ポンプ３から送出された油液の流量を計測する。流量計５には、単位流量毎の油液の流れに応じた流量パルスを出力する流量パルス発信器６が付設されている。流量計５の流出側は、先端に給油ノズル８が設けられた給油ホース７の基端側に連通されている。給油ノズル８は、操作レバーの開閉操作に応動して開閉する操作弁を内蔵し、油液の供給・遮断がマニュアル操作可能な構成になっており、その先端側パイプを車両等の給油対象タンクの給油口内に挿入して、給油作業（燃料供給作業）を行う。また、給油ノズル８には、給油中、給油対象タンクが満タンになってその液面等が先端側パイプに到達するようになると、操作レバーの開弁操作に関係なく、その操作弁を閉弁させる自動閉弁機構も設けられている。給油ノズル８は、給油作業で使用される時以外は、本体２の表面壁部に配置されたノズル掛け９に収納されている。ノズル掛け９には、給油ノズル８の収納／取り外し状態を検出するノズルスイッチ１０が設けられている。
【００２０】
また、図示の給油装置１では、流量計５の流出側と給油ホース７の基端側との間の液通路には、電磁弁１１が設けられている。電磁弁１１は、ポンプ３から給油ホース７を介し給油ノズル８に供給される油量を調整制御するためのもので、給油ノズル８に供給されない分の油液はポンプ３の吐出側と吸い込み側との間で、ポンプ３の吐出側部分の液圧に応じてリリーフされる。電磁弁１１は、予め設定されたプリセット値（目標量）に対応する油量の供給を給油ノズル８のレバー操作によらず自動的に完了させるプリセット給油の場合等に作動され、給油ノズル８から吐出される油量をその吐出停止をも含めて調整できるようになっている。
【００２１】
一方、本体２の表面壁部には、前述したノズル掛け９に加えて、給油情報表示器１２，人検知センサ１３，音声発生装置１４のスピーカ，静電気除去操作のための静電気除去操作部１５，給油装置１の周辺の湿度を検出する湿度センサ１６等が設けられている。また、本体２内には、前述したポンプ３及び流量計５等といった機器に加えて、給油量を演算したり、給油装置１の上述した各部を制御したりする制御装置１７が設けられている。
【００２２】
給油情報表示器１２は、例えば、制御装置１７が流量パルス発信器６から出力される流量パルス信号に基づいて演算した給油量等の給油情報を、制御装置１７から受けて表示する。
【００２３】
人検知センサ１３は、赤外線センサや超音波センサ等を用いて構成され、本体２に対しての人の接近を検出する。
【００２４】
音声発生装置１４は、制御装置１７から給油装置１自体の操作状態に対応して供給される発声制御信号に基づいて、給油作業の進行に合わせた次の作業内容（静電気除去作業も含む）に対応する案内メッセージや警報等の音声データを音声データメモリから読み出して、スピーカから発声させる。そのため、音声発生装置１４には、作業内容等に対応させて、その音声データメモリに該当する音声メッセージの音声データが記憶されている。本実施の形態では、音声発生装置１４の音声データメモリには、例えば静電気除去作業指示の音声メッセージとして「静電気除去シートに触れてください」との音声データが記憶されている。また、この静電気除去作業指示の音声メッセージに関連して、「静電気が非常に発生し易い状況です」及び「静電気が発生し易い状況です」の２種類の関連メッセージの音声データが記憶されている。
【００２５】
静電気除去操作部１５は、セルフサービス給油作業を行うに当たって、給油作業者がまず自身の身体に帯電している静電気を除去するために操作する操作部であって、本実施の形態では、給油作業者（静電気除去対象）が接触可能なタッチパネルを形成する静電気除去シート（被接触部）２１、給油作業者が静電気除去シート２１に手を触れていることを検出するタッチセンサ２２、静電気除去作業を案内表示するタッチパネル表示器２３が備えられている。
【００２６】
静電気除去シート２１は導電性シートにより構成され、この静電気除去シート２１が接続された接地回路（図示省略）とともに、静電気除去手段を構成する。
【００２７】
タッチセンサ２２は、赤外線センサや超音波センサ、又は当接検知スイッチ等の検出素子を用いて構成され、例えば、給油作業者の手が静電気除去シート２１に当接されている間、検出信号を制御装置１７に出力する構成になっている。
【００２８】
タッチパネル表示器２３は、静電気除去シート２１の近傍に配置され、制御装置１７から給油装置１の装置状態に対応して供給される表示制御信号に基づいて、給油作業者に静電気除去シート２１の所在やその操作を案内する。
【００２９】
湿度センサ１６は、例えば湿度の高低に応じてその抵抗値が変化する高分子膜湿度センサ等の湿度検出素子を用いて構成され、給油装置１の周辺、いわゆる給油エリアの相対湿度を電気的に検出し、その検出出力を制御装置１７に供給する構成になっている。
【００３０】
制御装置１７は、マイクロコンピュータによって構成される制御部、ノズルスイッチ１０，流量パルス発信器６，湿度センサ１６等の入力機器や、ポンプ駆動用モータ４，給油情報表示器１２，音声発生装置１４等の出力機器が接続される機器インタフェース、給油所内のＬＡＮ等のネットワークに接続するための通信インタフェース等を備えて構成される。
【００３１】
制御装置１７では、その制御部が、機器インタフェースを介して接続されている流量パルス発信器６や湿度センサ１６等の入力機器からの出力や供給データ、又は通信インタフェースを介してネットワーク接続されている事務所管理装置からの供給データを受けて、ポンプ駆動用モータ４，給油情報表示器１２，音声発生装置１４等の出力機器を制御作動する。
【００３２】
例えば、制御装置１７は、通信インタフェースを介して事務所管理装置からのセルフサービス給油の使用許可を受けている状態で、ノズルスイッチ１０から供給される状態出力に基づいて給油ノズル８の取り外しが検出された場合は、ポンプ駆動用モータ４を駆動するとともに電磁弁１１を開弁し、給油ノズル８の収納が検出された場合は、プリセット給油等によってポンプ駆動用モータ４が未だ駆動状態にあり電磁弁１１が未だ開弁状態にあるときには、ポンプ駆動用モータ４を停止するとともに電磁弁１１を閉弁する。
【００３３】
例えば、制御装置１７は、流量パルス発信器６から供給される流量パルス信号に基づいて、給油量を演算算出し、給油情報表示器１２に表示する。
【００３４】
また、制御装置１７は、本実施の形態では、湿度センサ１６から供給される相対湿度の検出出力に基づいて、給油装置１の周辺の相対湿度の値を演算算出し、この演算結果、すなわち給油装置１の周辺の相対湿度の測定結果に応じた静電気除去作業指示を、該当する出力機器である音声発生装置１４に出力する。
【００３５】
本実施の形態の給油装置１は、上述したように構成されるが、次に給油作業における静電気除去作業に関係する制御について詳述する。
【００３６】
まず、給油装置１が電源ＯＮ状態すなわち稼動状態のときにその制御装置１７が行う、静電気発生のし易さに関係する環境情報の設定処理について説明する。
【００３７】
図２は、静電気発生のし易さに関係する環境情報の設定処理についてのフローチャートである。
【００３８】
本実施の形態では、静電気発生のし易さに関係する環境情報として、湿度センサ１６から供給される給油装置１の周辺の相対湿度の検出出力が、制御装置１７に供給される構成になっている。
【００３９】
制御装置１７は、この湿度センサ１６から随時供給される給油装置１の周辺の相対湿度の検出出力を、定期的（例えば、１分毎）に取得して、給油装置１の周辺の相対湿度の値Ｈを演算算出し、この演算した相対湿度の値Ｈを給油装置１の周辺の相対湿度の測定結果として取り込む（ステップＳ10）。
【００４０】
そのため、本実施の形態では、湿度センサ１６、及びこの湿度センサ１６からの湿度検出信号に基づいて湿度測定装置として給油装置１の周辺の相対湿度の測定結果を取得する制御装置１７が、静電気発生のし易さに関係する環境情報を取得する静電気情報取得手段を構成するようになっている。
【００４１】
その上で、制御装置１７は、この測定結果の相対湿度の値Ｈに基づいて、例えば２５％よりも低い値で、給油装置１の周辺が静電気の非常に発生し易い環境になっているか（ステップＳ20）、２５％以上ではあるが６０％よりも低い値で、給油装置１の周辺が静電気の発生し易い環境になっているか（ステップＳ22）を判定するようになっている。
【００４２】
そして、制御装置１７は、相対湿度の値Ｈが２５％よりも低い場合は、給油装置１の周辺が静電気の非常に発生し易い環境になっている場合に対応した環境情報Ａ１に設定する（ステップＳ21）。また、相対湿度の値Ｈが２５％以上で６０％よりも低い場合は、給油装置１の周辺が静電気の発生し易い環境になっている場合に対応した環境情報Ａ２に設定する（ステップＳ23）。また、相対湿度の値Ｈが６０％以上で通常である場合は、給油装置１の周辺が格別静電気の発生し易い環境になっていない場合に対応した環境情報Ａ３に設定する（ステップＳ24）。
【００４３】
その上で、本実施の形態の給油装置１では、このように設定された静電気発生のし易さに関係する環境情報Ａ１〜Ａ３に基づいて、次の述べるようにして、給油作業時における静電気除去作業を行う。
【００４４】
図３は、環境情報に対応した静電気除去作業指示に基づく給油作業制御のフローチャートである。
【００４５】
制御装置１７は、通信インタフェースを介して事務所管理装置からのセルフサービス給油の使用許可を受けている状態で、まず、人検知センサ１３からの検出出力を監視している（ステップＳ110）。制御装置１７は、この監視により、人検知センサ１３が本体２の近くに人がいないと判定し、その検出出力がオフである場合には、人検知センサ１３からの検出出力の監視を継続する。
【００４６】
制御装置１７は、人検知センサ１３が本体２の近くに人がいると判定し、その検出出力がオンである場合には、現在設定されている、給油装置１の周辺すなわち給油作業を行う給油エリアについての静電気発生のし易さに関係する環境情報Ａを読み出し、給油装置１の周辺が静電気の非常に発生し易い環境、すなわち環境情報Ａ１になっているか否かについて判定する（ステップＳ120）。
【００４７】
制御装置１７は、給油装置１の周辺が静電気の非常に発生し易い環境になっていない、すなわち環境情報Ａ１になっていない場合には、給油装置１の周辺が静電気の発生し易い環境、すなわち環境情報Ａ２になっているか否かについて判定する（ステップＳ140）。
【００４８】
制御装置１７は、この給油装置１の周辺の静電気発生のし易さに関係する環境情報Ａの判定の結果、環境情報Ａが静電気の非常に発生し易い環境情報Ａ１になっている場合は、音声発生装置１４にこの環境情報Ａ１に対応した静電気除去作業指示を出力する。これにより、環境情報Ａ１に対応した静電気除去作業指示を受けた音声発生装置１４は、その音声データの中から、環境情報Ａ１に対応した「静電気が非常に発生し易い状況です」の関連メッセージの音声データを抽出し（ステップＳ130）、「静電気除去シートに触れてください」と静電気除去作業指示の音声メッセージの音声データを抽出して、一連の「静電気が非常に発生し易い状況です。静電気除去シートに触れてください。」という静電気除去作業の案内メッセージを音声合成して、スピーカから発声させる（ステップＳ160）。
【００４９】
また、音声発生装置１４は、環境情報Ａ２に対応した静電気除去作業指示を受けた場合は、音声発生装置１４は、その音声データの中から、環境情報Ａ２に対応した「静電気が発生し易い状況です」の関連メッセージの音声データを抽出し（ステップＳ150）、「静電気除去シートに触れてください」と静電気除去作業指示の音声メッセージの音声データを抽出して、一連の「静電気が発生し易い状況です。静電気除去シートに触れてください。」という静電気除去作業の案内メッセージを音声合成して、スピーカから発声させる（ステップＳ160）。
【００５０】
また、音声発生装置１４は、環境情報Ａ３に対応した静電気除去作業指示を受けた場合は、音声発生装置１４は、その音声データの中から、環境情報Ａ３に対応した関連メッセージの音声データの抽出は行わずに、「静電気除去シートに触れてください」と静電気除去作業指示の音声メッセージの音声データを抽出して、「静電気除去シートに触れてください。」という静電気除去作業の案内メッセージを音声合成して、スピーカから発声させる（ステップＳ160）。
【００５１】
次に、制御装置１７は、静電気除去作業の実行確認処理として、給油作業者の手が静電気除去シート２１に当接されていることを検出するために、タッチセンサ２２からの検出出力を監視する（ステップＳ170）。
【００５２】
そして、給油作業者が、これらの静電気除去作業の指示メッセージの音声発生を受けて、手を静電気除去シート２１に触れると、制御装置１７は、タッチセンサ２２からの検出出力に基づいて、給油作業者による静電気除去作業の実行完了を判定し、給油ノズル８の操作に基づく実際の燃料供給作業処理を実行する（ステップＳ180）。すなわち、給油ノズル８のノズル掛け９からの取り外しに基づいてポンプ駆動用モータ４を駆動するとともに電磁弁１１を開弁し、流量パルス発信器６から供給される流量パルス信号に基づいて、給油量を演算算出して給油情報表示器１２に表示する等、通常のセルフサービス給油における給油制御を行う。
【００５３】
したがって、本実施の形態の給油装置、すなわち燃料供給装置によれば、燃料供給作業時の静電気発生のし易さに関係する環境情報の程度に応じて、静電気除去作業指示を変更して出力することができるので、燃料供給作業の繰り返しの慣れによって、燃料供給作業者の静電気除去作業に対する注意意識が低下してしまうのを防ぐことができる。
【００５４】
次に、本発明に係る燃料供給装置の別の実施の形態の給油装置について、図面に基づき説明する。
【００５５】
なお、その説明に当たって、給油装置の構成は、図１に示した給油装置の構成と同一若しくは同様であるので、その詳細な説明は省略し、同一符号を用いて説明する。また、給油装置１が電源ＯＮ状態すなわち稼動状態のときにその制御装置１７が行う、静電気発生のし易さに関係する環境情報の設定処理についても、図２に示した静電気発生のし易さに関係する環境情報の設定処理を利用しているので、その詳細な説明は省略する。
【００５６】
本実施の形態の給油装置１は、前述した実施の形態の給油装置１と、環境情報に対応した静電気除去作業指示の内容が、静電気除去作業の実行確認処理において、さらにその安全対策が高められている点が異なる。
【００５７】
本実施の形態の給油装置１では、図２に示したようにして設定された、静電気発生のし易さに関係する環境情報Ａ１〜Ａ３に基づいて、次の述べるようにして、給油作業時における静電気除去作業を行う。
【００５８】
図４は、本実施の形態の給油装置に係る、環境情報に対応した静電気除去作業指示に基づく給油作業制御のフローチャートである。
【００５９】
制御装置１７は、通信インタフェースを介して事務所管理装置からのセルフサービス給油の使用許可を受けている状態で、まず、人検知センサ１３からの検出出力を監視している（ステップＳ110）。制御装置１７は、この監視により、人検知センサ１３が本体２の近くに人がいないと判定し、その検出出力がオフである場合には、人検知センサ１３からの検出出力の監視を継続する。
【００６０】
制御装置１７は、人検知センサ１３が本体２の近くに人がいると判定し、その検出出力がオンである場合には、現在設定されている、給油装置１の周辺すなわち給油作業を行う給油エリアについての静電気発生のし易さに関係する環境情報Ａを読み出し、給油装置１の周辺が静電気の非常に発生し易い環境、すなわち環境情報Ａ１になっているか否かについて判定する（ステップＳ120）。
【００６１】
制御装置１７は、給油装置１の周辺が静電気の非常に発生し易い環境になっていない、すなわち環境情報Ａ１になっていない場合には、給油装置１の周辺が静電気の発生し易い環境、すなわち環境情報Ａ２になっているか否かについて判定する（ステップＳ140）。
【００６２】
制御装置１７は、この給油装置１の周辺の静電気発生のし易さに関係する環境情報Ａの判定の結果、環境情報Ａが静電気の非常に発生し易い環境情報Ａ１になっている場合は、音声発生装置１４にこの環境情報Ａ１に対応した静電気除去作業指示を出力する。これにより、環境情報Ａ１に対応した静電気除去作業指示を受けた音声発生装置１４は、その音声データの中から、環境情報Ａ１に対応した「静電気が非常に発生し易い状況です」の関連メッセージの音声データを抽出し、「静電気除去シートに触れてください」と静電気除去作業指示の音声メッセージの音声データを抽出して、一連の「静電気が非常に発生し易い状況です。静電気除去シートに触れてください。」という静電気除去作業の案内メッセージを音声合成する。
【００６３】
さらに、制御装置１７は、その制御部内のメモリに、静電気除去作業の実行確認処理のために形成される静電気除去時間タイマＴに確認時間として設定されている設定時間（Ｔ＝１）を、例えば設定時間（Ｔ＝３）に設定変更する（ステップＳ131）。この確認時間としての設定時間（Ｔ＝３）は、予め設定されている設定時間（Ｔ＝１）や次に述べる設定時間（Ｔ＝２）よりも長い時間である。
【００６４】
また、音声発生装置１４は、環境情報Ａ２に対応した静電気除去作業指示を受けた場合は、音声発生装置１４は、その音声データの中から、環境情報Ａ２に対応した「静電気が発生し易い状況です」の関連メッセージの音声データを抽出し、「静電気除去シートに触れてください」と静電気除去作業指示の音声メッセージの音声データを抽出して、一連の「静電気が発生し易い状況です。静電気除去シートに触れてください。」という静電気除去作業の案内メッセージを音声合成する（ステップＳ150）。
【００６５】
さらに、制御装置１７は、その制御部内のメモリに、静電気除去作業の実行確認処理のために形成される静電気除去時間タイマＴに確認時間として設定されている設定時間（Ｔ＝１）を、例えば設定時間（Ｔ＝２）に設定変更する（ステップＳ151）。この確認時間としての設定時間（Ｔ＝２）は、予め設定されている設定時間（Ｔ＝１）よりも長く、前述した設定時間（Ｔ＝３）よりは短い時間である。
【００６６】
また、音声発生装置１４は、環境情報Ａ３に対応した静電気除去作業指示を受けた場合は、音声発生装置１４は、その音声データの中から、環境情報Ａ３に対応した関連メッセージの音声データの抽出は行わずに、「静電気除去シートに触れてください」と静電気除去作業指示の音声メッセージの音声データを抽出して、「静電気除去シートに触れてください。」という静電気除去作業の案内メッセージを音声合成する。そして、制御装置１７は、その制御部内のメモリに、静電気除去作業の実行確認処理のために形成される静電気除去時間タイマＴに確認時間として設定されている設定時間（Ｔ＝１）をそのまま確認時間として使用する。
【００６７】
その上で、音声発生装置１４は、合成した環境情報Ａ１〜Ａ３に対応した静電気除去作業の案内メッセージをスピーカから発声させる（ステップＳ160）。したがって、給油装置１の傍らにいる給油作業者には、給油装置１の周辺の静電気発生のし易さに関係する環境情報Ａの違いＡ１〜Ａ３に応じて異なる内容の、静電気除去作業の案内メッセージが音声報知される。
【００６８】
続いて、制御装置１７は、静電気除去時間タイマＴをリセットして、設定時間（Ｔ＝１，Ｔ＝２，Ｔ＝３のうちのいずれか）のカウントに備える（ステップＳ161）。
【００６９】
次に、制御装置１７は、静電気除去作業の実行確認処理として、給油作業者の手が静電気除去シート２１に当接されていることを検出するために、タッチセンサ２２からの検出出力を定期的に取り込んで監視する（ステップＳ170）。
【００７０】
そして、制御装置１７は、この監視の結果、給油作業者が静電気除去シート２１に手を触れていてタッチセンサ２２からの検出出力がオン状態になっている場合は、静電気除去時間タイマＴのカウント値（計時時間に相当する）ｔをインクリメントし（ステップＳ171）、静電気除去時間タイマＴのカウント値ｔが設定時間（Ｔ＝１，Ｔ＝２，Ｔ＝３のうちの予め設定されたいずれか）になっているか否かを確認する（ステップＳ172）。  
【００７１】
この確認の結果、制御装置１７は、設定時間になった場合は、給油作業者による静電気除去作業の実行完了を判定し、給油ノズル８の操作に基づく実際の燃料供給作業処理を実行する（ステップＳ180）。すなわち、給油ノズル８のノズル掛け９からの取り外しに基づいてポンプ駆動用モータ４を駆動するとともに電磁弁１１を開弁し、流量パルス発信器６から供給される流量パルス信号に基づいて、給油量を演算算出して給油情報表示器１２に表示する等、通常のセルフサービス給油における給油制御を行う。これに対して、未だ設定時間になっていない場合は、ステップＳ171，Ｓ172に示したタッチセンサ２２からの検出出力についての監視及び確認を繰り返して行う。そのため、タッチセンサ２２は、静電気除去センサとして機能する。
【００７２】
したがって、本実施の形態の給油装置、すなわち燃料供給装置によれば、燃料供給作業時の静電気発生のし易さに関係する環境情報の程度に応じて、静電気除去作業指示を変更して出力することができるので、燃料供給作業の繰り返しの慣れによって、燃料供給作業者の静電気除去作業に対する注意意識が低下してしまうのを防ぐことができる。
【００７３】
さらに、静電気発生のし易さに関係する環境情報の程度に応じて、静電気除去作業指示として、静電気除去時間の設定時間を燃料供給作業時の静電気発生のし易さに関係する環境情報の程度に応じて変更し、燃料供給作業者は静電気除去手段の被接触部に手を当接させていなければ、実際の燃料供給作業を行うことができないので、静電気除去作業、セルサービス方式の燃料供給作業についてのさらなる安全対策の向上をはかることができる。
【００７４】
なお、本発明の燃料供給装置の実施の形態については、上記説明した実施の形態に限定されるものではなく、種々の変形例が可能である。
【００７５】
例えば、上述した実施の形態では、静電気発生のし易さに関係する環境情報を、燃料供給装置自体に設けた湿度検出装置からの相対湿度の測定結果に基づいて取得する構成を説明したが、例えばキーボード等を備えた入力装置を準備し、この入力装置から直接入力された相対湿度や環境情報の程度そのものを取得するようにしたり、通信インタフェースを介して接続されたネットワークを経由し、自身は湿度センサや湿度検出装置を備えず、湿度センサや湿度検出装置を備えた別の機器から取得したりすることも可能である。さらに、このネットワークを経由し、インターネットの天気情報サイトから取得することも可能である。
【００７６】
また、上述した実施の形態では、静電気発生のし易さに関係する環境情報に対応した静電気除去作業の案内メッセージを音声報知に行う構成としたが、給油作業者に静電気除去シート２１の所在やその操作を案内するタッチパネル表示器２３等の、メッセージ表示カラーやメッセージ表示方法（フリッカ）を切り替えることによって、視覚的に行うようにしてもよく、またこの視覚表示と音声報知との複合で行うようしてもよい。
【００７７】
また、静電気発生のし易さに関係する環境情報も相対湿度だけに限るものではなく、静電気発生のし易さに関係するパラメータ情報であればよく、これらパラメータ情報のうちの複数を利用して、よりきめ細かな環境情報を設定するように構成してもよい。
【図面の簡単な説明】
【００７８】
【図１】本発明の燃料供給装置の一実施の形態としての給油装置の構成図である。
【図２】本実施の形態の燃料供給装置における、静電気発生に関係する環境情報の設定処理についてのフローチャートである。
【図３】本実施の形態の燃料供給装置における、環境情報に対応した静電気除去作業指示に基づく給油作業制御のフローチャートである。
【図４】別の実施の形態の燃料供給装置における、環境情報に対応した静電気除去作業指示に基づく給油作業制御のフローチャートである。
【符号の説明】
【００７９】
１  給油装置
２  本体
３  ポンプ
４  ポンプ駆動用モータ
５  流量計
６  流量パルス発信器
７  給油ホース
８  給油ノズル
９  ノズル掛け
１０  ノズルスイッチ
１１  電磁弁
１２  給油情報表示器
１３  人検知センサ
１４  音声発生装置
１５  静電気除去操作部
１６  湿度センサ
１７  制御装置
２１  静電気除去シート
２２  タッチセンサ
２３  タッチパネル表示器
【図１】
0004955475.tif 000002
【図２】
0004955475.tif 000003
【図３】
0004955475.tif 000004
【図４】
0004955475.tif 000005